(57)【要約】      （修正有）【課題】積み上げ作業を容易に行うことができる保冷容器を提供する。【解決手段】下側の保冷容器１に上側の保冷容器１を積み重ねるべく下側の保冷容器１に対して上側の保冷容器１を前後方向に摺動させる際に、前後方向に沿って上側の保冷容器を案内する案内手段２９，３０を備える。案内手段２９，３０は、容器本体１０の底面又は上蓋２０の上面の一方に突設されると共に前後方向に沿って延設される前後方向凸部１８Ａと、容器本体１０の底面又は上蓋２０の上面の他方に突設されると共に、案内の際に前後方向凸部１８Ａに対して前後方向に直交する幅方向の両側に位置するように設けられる幅方向凸部２４，２４，２５，２６とを備え、幅方向に複数設けられている。【選択図】図５
0003191069.tif 000002
【実用新案登録請求の範囲】
【請求項１】
発泡合成樹脂製の保冷容器であって、上面が開口する箱状の容器本体と、該容器本体の上面開口部を開閉するように容器本体に対して着脱自在に取り付けられる上蓋とを備え、複数個を上下に積み重ね可能に構成されている保冷容器において、
下側の保冷容器に上側の保冷容器を積み重ねるべく前記下側の保冷容器に対して前記上側の保冷容器を前後方向に摺動させる際に、該前後方向に沿って上側の保冷容器を案内する案内手段を備え、
該案内手段は、前記容器本体の底面又は前記上蓋の上面の一方に突設されると共に前記前後方向に沿って延設される前後方向凸部と、前記容器本体の底面又は前記上蓋の上面の他方に突設されると共に、前記案内の際に前記前後方向凸部に対して前後方向に直交する幅方向の両側に位置するように設けられる幅方向凸部とを備え、前記幅方向に複数設けられていることを特徴とする保冷容器。
【請求項２】
前記容器本体の底面又は前記上蓋の上面の一方には、複数の案内手段の各前後方向凸部を幅方向で連結する連結凸部が突設されており、
全ての幅方向凸部のうち、幅方向の最も外側に配置される一対の幅方向凸部は、前記案内の際に全ての前後方向凸部よりも幅方向外側に位置する一対の外側突出部であり、該一対の外側突出部以外の幅方向凸部は、前記案内の際に前後方向凸部どうしの間に位置する内側突出部であり、
前記容器本体の底面又は前記上蓋の上面の他方には、前記内側突出部に対して前後方向に離間して配置される離間突出部が突設され、
前記連結凸部は、前記上下に積み重ねた状態において、前記内側突出部と前記離間突出部との間に嵌合することを特徴とする請求項１に記載の保冷容器。
【請求項３】
前記連結凸部は、前記摺動の摺動方向手前側のみに配置されていることを特徴とする請求項２に記載の保冷容器。
【請求項４】
前記容器本体を構成する幅方向両側壁には、前記摺動の摺動方向手前側の部分に取手が設けられていることを特徴とする請求項１〜３のいずれか１項に記載の保冷容器。
【請求項５】
前記容器本体の底面に、前記一対の前後方向凸部と該一対の前後方向凸部を幅方向で連結する連結凸部とからなるコの字状凸部が設けられるとともに、前記上蓋の上面に、前記一対の前後方向凸部よりも幅方向外側に位置する一対の外側突出部と該一対の外側突出部間に位置し前後両端のそれぞれに左右方向に延びる内側突出部が設けられて、前記案内手段を構成し、前記一対の内側突出部の左右方向両端面とこれに対応する前記一対の外側突出部の内側面との間に前記一対の前後方向凸部が入り込むガイド用凹部が形成されていることを特徴とする請求項１に記載の保冷容器。
【考案の詳細な説明】
【技術分野】
【０００１】
本考案は、魚を保冷輸送する際に使用する保冷容器に関する。
【背景技術】
【０００２】
従来、魚を収容して目的地へ輸送するための保冷容器として、発泡合成樹脂で形成されたものが知られている。この保冷容器は、上面が開口する箱状の容器本体と、容器本体の開口を開閉するように容器本体に対して着脱自在に取り付けられる上蓋とを備えている（例えば、特許文献１参照）。
【０００３】
かかる保冷容器は、容器本体の開口から魚を収容して該開口を上蓋で閉塞することで、魚を保冷状態で収容することができる。そして、魚を収容した保冷容器は、複数個を上下に積み重ねた状態で輸送（例えば、空輸や陸送など）される。
【０００４】
ここで、保冷容器には、輸送時に積み重ねた保冷容器が荷崩れしてしまわないように、前記積み重ね状態を保持する（具体的には、上下の保冷容器の相対位置を位置決めする）ことができる凹凸嵌合部が設けられている。この凹凸嵌合部は、上下方向に積み重ねたときに、下側の保冷容器の上蓋と上側の保冷容器の容器本体の底部が凹凸嵌合するように構成されており、凹部と該凹部に内嵌する凸部とを備えている。この凹部は、上蓋の上面に、該上面の外周部よりも径内側部分全体が下方に凹となるように形成されている。また、凸部は、容器本体の底面に、該底面の外周部よりも径内側部分全体が下方に凸となるように形成されている。
【先行技術文献】
【特許文献】
【０００５】
【特許文献１】特開２００６−１５１４２１号公報
【考案の概要】
【考案が解決しようとする課題】
【０００６】
ところで、複数個の保冷容器を上下に積み重ねる際には、作業者は、上側になる保冷容器を下側になる保冷容器に対して摺動させる積み上げ作業を行っている。具体的には、作業者は、上側になる保冷容器の幅方向（左右方向）位置を下側になる保冷容器の幅方向位置に合わせて、該上側の保冷容器を前後方向（長手方向）に押して下側の保冷容器に対して摺動させる積み上げ作業を行っている。
【０００７】
しかしながら、上記従来の保冷容器にあっては、前記積み上げ作業における摺動の最中に凹部が凸部を案内する機能を、前記凹凸嵌合部が有していない。そのため、上側の保冷容器が、正しい積み重ね位置、具体的には、下側の保冷容器の凹部に対して上側の保冷容器の凸部が内嵌する位置からずれてしまうことがある。そうすると、位置ずれした上側の保冷容器を、凸部が凹部に内嵌するように位置合せしなければならず、積み上げ作業が手間のかかる煩わしい作業になってしまう。
【０００８】
そこで、本考案は、かかる事情に鑑みてなされたもので、積み上げ作業を容易に行うことができる保冷容器を提供することを課題とする。
【課題を解決するための手段】
【０００９】
本考案に係る保冷容器は、発泡合成樹脂製の保冷容器であって、上面が開口する箱状の容器本体と、該容器本体の上面開口部を開閉するように容器本体に対して着脱自在に取り付けられる上蓋とを備え、複数個を上下に積み重ね可能に構成されている保冷容器において、下側の保冷容器に上側の保冷容器を積み重ねるべく前記下側の保冷容器に対して前記上側の保冷容器を前後方向に摺動させる際に、該前後方向に沿って上側の保冷容器を案内する案内手段を備え、該案内手段は、前記容器本体の底面又は前記上蓋の上面の一方に突設されると共に前記前後方向に沿って延設される前後方向凸部と、前記容器本体の底面又は前記上蓋の上面の他方に突設されると共に、前記案内の際に前記前後方向凸部に対して前後方向に直交する幅方向の両側に位置するように設けられる幅方向凸部とを備え、前記幅方向に複数設けられていることを特徴とする。
【００１０】
本考案によれば、下側の保冷容器に上側の保冷容器を積み重ねるべく下側の保冷容器に対して上側の保冷容器を前後方向に摺動させる（つまり、積み上げ作業を行う）と、上側の保冷容器が案内手段によって案内される。ここで、案内手段は、摺動方向である前後方向に延設される前後方向凸部と、該前後方向凸部の幅方向両側に位置するように設けられる幅方向凸部とを備えており、しかも幅方向に複数設けられている。よって、上側の保冷容器は、位置ずれすることなく確実に案内されて摺動し、正しい位置で下側の保冷容器の上に積み重ねられる。
【００１１】
また、本考案に係る保冷容器においては、前記容器本体の底面又は前記上蓋の上面の一方には、複数の案内手段の各前後方向凸部を幅方向で連結する連結凸部が突設されており、全ての幅方向凸部のうち、幅方向の最も外側に配置される一対の幅方向凸部は、前記案内の際に全ての前後方向凸部よりも幅方向外側に位置する一対の外側突出部であり、該一対の外側突出部以外の幅方向凸部は、前記案内の際に前後方向凸部どうしの間に位置する内側突出部であり、前記容器本体の底面又は前記上蓋の上面の他方には、前記内側突出部に対して前後方向に離間して配置される離間突出部が突設され、前記連結凸部は、前記上下に積み重ねた状態において、前記内側突出部と前記離間突出部との間に嵌合するように構成してもよい。
【００１２】
かかる構成によれば、保冷容器を上下に積み重ねた状態において、連結凸部が内側突出部と離間突出部との間に嵌合するので、下側の保冷容器に対する上側の保冷容器の位置ずれを効果的に抑制することができる。
【００１３】
また、本考案に係る保冷容器においては、前記連結凸部が、前記摺動の保冷容器の移動摺動方向手前側のみに配置されて備えていてもよい。
【００１４】
かかる構成によれば、連結凸部が摺動方向（積み上げ作業における摺動の方向）手前側のみに設けられているので、積み重ねた状態にある上側の保冷容器を降ろす場合に、該保冷容器の摺動方向手前側部分を持ち上げれば、内側突出部及び離間突出部と連結凸部との嵌合が簡単に解除できる。よって、積み重ねた状態にある上側の保冷容器を容易に降ろすことができる。
【００１５】
また、本考案に係る保冷容器においては、前記容器本体を構成する幅方向両側壁には、前記摺動の摺動方向手前側の部分に取手が設けられていてもよい。
【００１６】
かかる構成によれば、幅方向両側壁の摺動方向（積み上げ作業における摺動の方向）手前側の部分に取手が設けられているので、該取手を利用して保冷容器を摺動方向手前側へ容易迅速に引き寄せることができる。
【００１７】
また、本考案に係る保冷容器においては、前記容器本体の底面に、前記一対の前後方向凸部と該一対の前後方向凸部を幅方向で連結する連結凸部とからなるコの字状凸部が設けられるとともに、前記上蓋の上面に、前記一対の前後方向凸部よりも幅方向外側に位置する一対の外側突出部と該一対の外側突出部間に位置し前後両端のそれぞれに左右方向に延びる内側突出部が設けられて、前記案内手段を構成し、前記一対の内側突出部の左右方向両端面とこれに対応する前記一対の外側突出部の内側面との間に前記一対の前後方向凸部が入り込むガイド用凹部が形成されていてもよい。
【考案の効果】
【００１８】
以上の如く、本考案によれば、案内手段が、摺動方向である前後方向に延設される前後方向凸部と、該前後方向凸部の幅方向両側に位置するように設けられる幅方向凸部とを備えること、幅方向に複数設けられることによって、上側の保冷容器を、前後方向（摺動方向）に確実に案内して下側の保冷容器の上に積み重ねることができる結果、下側の保冷容器に対する上側の保冷容器の積み上げ作業を容易に行うことができるという効果を奏する。
【図面の簡単な説明】
【００１９】
【図１】本考案の第一実施形態に係る保冷容器の全体の縦断正面図である。
【図２】同保冷容器の容器本体を示す図であって、（ａ）は平面図、（ｂ）は底面図である。
【図３】同保冷容器の容器本体を示す図であって、（ａ）は一部を断面にした正面図、（ｂ）は一部を断面にした側面図である。
【図４】同保冷容器の上蓋を示す図であって、（ａ）は平面図、（ｂ）は縦断正面図、（ｃ）は底面図、（ｄ）はそれの縦断側面図である。
【図５】同保冷容器を積み重ねる動作を示す説明図であって、（ａ）は保冷容器を積み重ねる直前の図、（ｂ）は積み重ねた状態の図、（ｃ）は積み重ねた状態の縦断側面図、（ｄ）は積み重ねた状態の縦断正面図である。
【図６】本考案の第二実施形態に係る保冷容器を示す図であって、（ａ）は保冷容器を積み重ねる直前の図、（ｂ）は保冷容器を積み重ねた状態の図である。
【図７】本考案の第三実施形態に係る保冷容器を示す図であって、（ａ）は保冷容器を積み重ねる直前の図、（ｂ）は保冷容器を積み重ねた状態の図である。
【考案を実施するための形態】
【００２０】
以下、本考案に係る保冷容器の第一乃至第三実施形態について、図１〜図７を参酌して説明する。
【００２１】
＜第一実施形態＞
図１〜図５に、本考案の第一実施形態に係る保冷容器を示している。
該保冷容器１は、図１に示すように、例えばマグロ、ブリ等の大型魚Ｆを上端の上面開口部１０Ａから収容することができる箱型状の発泡合成樹脂でなる容器本体１０と、この容器本体１０の上面開口部１０Ａを閉じて密閉状態にするための発泡合成樹脂でなる上蓋２０とから構成されている。尚、発泡合成樹脂としては、特に限定されないが、例えば発泡ポリスチレン、発泡ポリエチレン、発泡ポリプロピレン等の各種発泡合成樹脂が利用できる。発砲倍率としては、本第一実施形態では、６０倍としているが、４０倍から８０倍までの間の任意の値が強度及びコストの点で好ましいが、５０倍から７０倍までの間の任意の値がより好ましい。また、大型魚は、３０ｋｇから１５０ｋｇまでの重量の魚を対象としているが、その中でも５０ｋｇから１００ｋｇまでの重量の魚を主としている。尚、収容する魚は、大型魚でなく、中型魚や小型魚であってもよい。
【００２２】
容器本体１０は、図２（ａ），（ｂ）及び図３（ａ），（ｂ）に示すように、平面視略長方形状に形成され、大型魚を載置する載置面１１Ａを備えた底部１１と、底部１１の一対の長辺である幅方向両縁部に上方に向けて立設された一対の側壁１２，１２と、底部１１の一対の短辺である前後の縁部から上方に向けて立設された前後一対の側壁１３，１３とを備え、これら４つの側壁１２，１３の上部に大型魚を出し入れするための前記上面開口部１０Ａが形成されて構成されている。
【００２３】
ここで、容器本体１０の内部構造について説明すれば、底部１１と側壁１２，１２との間の稜部分に、下方に凹状になるよう湾曲した円弧状の傾斜面部１４が前後の側壁１３，１３に近い前後の部分を除く所定の長さに亘って設けられている。
【００２４】
傾斜面部１４は、前後方向中央部分（底部１１の長辺方向中央を中心として底部１１の長辺寸法の約１／２から１／４程度の長さの部分）１４ａと、その中央部分１４ａの前後端に連設される前側部分１４ｂ及び後側部分１４ｂとを備えている。中央部分１４ａは、大きな径（例えば、Ｒ５０〜Ｒ２００）を有する円弧面に形成され、前側部分１４ｂ及び後側部分１４ｂは、中央部分１４ａの径よりも小さい径を有し、かつ、前後の側壁１３，１３に向かって次第に円弧の径が小さくなる先窄まりの円弧面に形成されている。
【００２５】
また、幅方向一対の側壁１２，１２及び前後一対の側壁１３，１３の上端面、即ち、容器本体１０の上端面には、内縁全周に亘って上向きに突出する嵌合用凸条１５が設けられている。
【００２６】
底部１１は、その下面（外面）側に、周方向全周に渡って同一幅に形成された偏平面の外周凹部１７と、外周凹部１７の径内側にて下方（外方）に突設される凸部１８と、凸部１８の長手方向一端側（前後方向後端側）を残して長手方向他端側（前後方向前端側）に開放するように切り欠いた凹部１９とを備えている。
【００２７】
凸部１８は、後述する上蓋２０の凹条嵌合部２０Ａに嵌合（内嵌）可能に構成されており、具体的には、容器本体１０の前後方向（長手方向）に沿って延びるように幅方向に所定間隔（後述の内側突出部２５，２５の長さ分）を置いて設けられ、先端が丸くなった先端湾曲面１８ａを有する一対の前後方向凸部１８Ａ，１８Ａと、これら一対の前後方向凸部１８Ａ，１８Ａを前後方向後端側（後述する、積み上げ作業における摺動方向手前側）において連結する連結凸部１８Ｂとからなるコの字状凸部に構成されている。一対の前後方向凸部１８Ａ，１８Ａ及び連結凸部１８Ｂは、同一突出量で同一幅に構成され、底面（下面）が扁平になっている。一対の前後方向凸部１８Ａ，１８Ａが連結凸部１８Ｂにより幅方向で連結されることによって、保冷容器１の強度を高めている。
【００２８】
容器本体１０の底部１１の外周凹部１７の四隅それぞれには、保冷容器１を幅方向両側から両手で保持する（持ち上げる）ための保持部３１が形成されている。保持部３１は、外周凹部１７の底面から更に上方に凹むように形成された幅方向一対の前側保持部３１Ａ，３１Ａと、同じく幅方向一対の後側保持部３１Ｂ，３１Ｂとから構成されている。また、図２（ｂ）及び図３（ａ）に示すように、容器本体１０の幅方向両側壁の前後方向後端部それぞれには、後側保持部３１Ｂ，３１Ｂから上方へ延設するように、上下方向に長く切欠いて形成された取手３２が設けられている。尚、この取手３２，３２は、上下に積み重ねられた保冷容器１の上側の保冷容器１を下側の保冷容器１に対して摺動させて積み下ろす積み下ろし作業の際に、該上側の保冷容器１を前後方向後方側へ引き出すべく、作業者が手を掛けることができるように構成されている。この取手３２，３２は、容器本体１０の高さ方向（上下方向）ほぼ半分の高さまで切欠き形成されるとともに、切り欠き部に入れた指が引っ掛かり易いように後方側に抉られた凹状に形成されている。
【００２９】
上蓋２０は、図４（ａ），（ｂ），（ｃ），（ｄ）に示すように、容器本体１０の上面開口部１０Ａを覆う平面視略長方形状の上部２１と、該上部２１の一対の長辺である幅方向両縁部から下方に向けて垂下された幅方向一対の側壁２２，２２と、上部２１の一対の短辺である前後の縁部から下方に向けて垂下された前後一対の側壁２３，２３とを備え、底面（下面）側が開口した箱状に形成されている。これらの側壁２２，２２，２３，２３で形成される上蓋２０の下端面には、外縁全周に亘って下向きに突出する嵌合用凸条１６が設けられている。上蓋２０は、嵌合用凸条１６を容器本体１０の嵌合用凸条１５の外側に嵌合することによって、容器本体１０の上面開口部１０Ａを閉塞するように構成されている。また、上蓋２０の前後の側壁２３，２３の外面に、容器本体１０に嵌合した上蓋２０を容易に嵌合解除することができるように指を挿入可能な横長状の切欠き２０Ｋが形成されている。
【００３０】
また、上蓋２０の上部２１には、その上面側に、外周部分のうち幅方向両側部分に長手方向に沿って突設される一対の外側突出部２４，２４と、これら外側突出部２４，２４間に位置し前後両端に一対突設される内側突出部２５，２５と、これら内側突出部２５，２５に対して径内側（上蓋２０の前後方向中央側）に所定距離だけ離間して突設される前後一対の離間突出部２６，２６と、外側突出部２４，２４及び内側突出部２５，２５よりも径内側に凹設される偏平面の凹条嵌合部２０Ａとを備えている。本第一実施形態では、幅方向一対の外側突出部２４，２４と前後一対の内側突出部２５，２５とで、後述する一対の前後方向凸部１８Ａ，１８Ａを幅方向両側からそれぞれ規制すべく、一対の前後方向凸部１８Ａ，１８Ａに対して幅方向の両側に位置するように上方に突出する複数の幅方向凸部を構成している。
【００３１】
外側突出部２４，２４は、前記幅方向凸部の構成部材の中でも幅方向の最も外側に配置されている。また、外側突出部２４，２４は、上部２１の前後方向全域に亘るように形成されている。内側突出部２５，２５は、上部２１の幅方向両端部を除く中央領域にのみ形成されている。つまり、内側突出部２５，２５の幅方向両側には、外側突出部２４，２４の前端部（又は後端部）との間に形成されるガイド用凹部２７が形成されている。よって、外側突出部２４，２４と内側突出部２５，２５とは連続しておらず、ガイド用凹部２７が存在する４箇所にて途切れている。
【００３２】
凹条嵌合部２０Ａは、上部２１のうち、外側突出部２４，２４及び内側突出部２５，２５で囲まれる領域（径内側の領域）のほぼ全域に形成されている。凹条嵌合部２０Ａは、ガイド用凹部２７に連続するように、該ガイド用凹部２７の底面（下面）と面一になっている。つまり、上部２１の上面は、凹条嵌合部２０Ａとガイド用凹部２７とを合せた領域においてフラット面となっている。
【００３３】
内側突出部２５，２５よりも前後方向中央側に位置する離間突出部２６，２６は、上部２１の幅方向両端部を除いた中央領域にのみ形成されており、幅方向の長さ及び位置は、内側突出部２５，２５の幅方向の長さ及び位置と同じである。よって、凹条嵌合部２０Ａの偏平面のうち離間突出部２６，２６の幅方向両側部分は、前記ガイド用凹部２７と同じ幅（つまり、凹条嵌合部２０Ａの他の部分よりも幅狭）になっている。
【００３４】
ここで、前記一方の前後方向凸部１８Ａ（図５（ａ）における下側の前後方向凸部１８Ａ）と、これに対応する一方の外側突出部２４（図５（ａ）における上側の外側突出部２４）及び内側突出部２５，２５からなる幅方向凸部とから、第１案内手段２９が構成されている。また、前記他方の前後方向凸部１８Ａ（図５（ａ）における上側の前後方向凸部１８Ａ）と、これに対応する一方の外側突出部２４（図５（ａ）における下側の外側突出部２４）及び内側突出部２５，２５からなる幅方向凸部とから、第２案内手段３０が構成されている。第１及び第２案内手段２９，３０は、幅方向に並べて２つ設けられた案内手段であり、複数の保冷容器１，１を凹凸嵌合状態で上下に積み重ねるべく、下側の保冷容器１に対して上側の保冷容器１を前後方向に摺動させる際に、前後方向（長手方向）に沿って上側の保冷容器１を案内する手段である。ここでは、２つの案内手段２９，３０各々の内側突出部が、内側突出部２５，２５で兼用されているが、内側突出部２５，２５を幅方向で２分割し、該分割した各々を、２つの案内手段２９，３０に対応するそれぞれの内側突出部とすることもできる。
【００３５】
かかる構成の保冷容器１にあっては、陸送するトラックの荷台へ複数積み重ねる時や、空輸用の航空コンテナへ複数積み重ねる時、つまり、積み上げ作業を行う際には、一対の前後方向凸部１８Ａ，１８Ａのうちの一方の前後方向凸部（図５（ａ）の下側の前後方向凸部）１８Ａが、上蓋２０の一方の外側突出部（図５（ａ）の上側の外側突出部）２４の内側面２４ａとこれに対向位置する内側突出部２５，２５の幅方向一端面２５ａ，２５ａとで形成される前記ガイド用凹部２７に入り込む。そして、他方の前後方向凸部（図５（ａ）の上側の前後方向凸部）１８Ａが、上蓋２０の他方の外側突出部（図５（ａ）の上側の外側突出部）２４の内側面２４ａとこれに対向位置する内側突出部２５，２５の幅方向他端面２５ｂ，２５ｂとで形成される前記前記ガイド用凹部２７に入り込む。このような状態で上側の保冷容器１が移動案内される。尚、本第一実施形態では、上側の保冷容器１の各前後方向凸部１８Ａは、下側の保冷容器１の外側突出部２４の内側面２４ａと離間突出部２６の幅方向端面２６ａ（２６ｂ）との間の幅狭部にも入り込んでいて移動案内される。つまり、離間突出部２６は、案内機能も兼ねている。
【００３６】
そして、上側の保冷容器１の連結凸部１８Ｂが後端（保冷容器手前側）に位置する内側突出部２５に当接する又は当接する直前に、上側の保冷容器１の後端部を持ち上げて連結凸部１８Ｂが内側突出部２５を乗り越えるように、上側の保冷容器１を移動させる。
【００３７】
そして、図５（ｂ）に示すように、内側突出部２５とこれよりも前方に位置する離間突出部２６との間に連結凸部１８Ｂが嵌合して下側の保冷容器１に対して上側の保冷容器１を位置決めした状態で積み重ねることができる。
【００３８】
このように、上側の保冷容器１は、２つの案内手段２９，３０で上側の保冷容器１が移動案内されるので、位置ずれすることなく確実に案内されて摺動し、正しい位置で下側の保冷容器１の上に積み重ねられる。
【００３９】
尚、図５（ｃ），（ｄ）に示すように、下側の保冷容器１に対して上側の保冷容器１を積み重ねた状態においては、凸部１８の下面（底面）と上蓋２０の上面２０Ｓとが接触しない。よって、上側の保冷容器１の移動時には、上蓋２０の一対の外側突出部２４，２４とこれに対応する容器本体１０の底部の外周凹部１７の幅方向両側部分１７Ａ，１７Ａとが接触し、他の部分は接触していない状態になる。
【００４０】
積み重ねた上側の保冷容器１を下側の保冷容器１に対して積み下ろす場合（つまり、積み下ろし作業を行う場合）には、上側の保冷容器１の後側保持部３１Ｂ，３１Ｂや一対の取手３２，３２に手を入れて上側の保冷容器１の後端部を上方に持ち上げ、連結凸部１８Ｂを内側突出部２５と離間突出部２６との間から離脱させる。この後、取手３２，３２に手を入れて上側の保冷容器１を手前側（前後方向後方側）に引っ張ることによって、上側の保冷容器１を容易に下ろすことができる。尚、前後一対の離間突出部２６，２６を設けることによって、容器本体１０に対する上蓋２０の前後の方向性を持たないように構成することができるだけでなく、上側の保冷容器１の前端部を前側の離間突出部２６にて支持することができる。尚、離間突出部２６は、手前側（後端側）にのみ設けておくこともできる。
【００４１】
また、凸部１８を前端が開放されたコの字形状に構成することによって、次のような利点がある。つまり凸部１８が前側にも連結凸部（図示せず）を備えた環状に構成されている場合には、積み重ね状態において、前側の２つの突出部２５，２６の間に前側の連結凸部が嵌合しているから、上側の保冷容器１を引き出す際に、突出部２５，２６間に嵌合している前側の連結凸部を嵌合解除すべく上側の保冷容器１を大きく持ち上げる必要がある。これに対して、コの字形状の凸部１８では、後側（保冷容器移動方向手前側）の突出部２５，２６の間に嵌合した連結凸部１８Ｂを嵌合解除すべく少しだけ上側の保冷容器１を持ち上げるだけで済み、保冷容器１の引き出し作業を容易に行える。
【００４２】
尚、上側の保冷容器１と下側の保冷容器１との接触部分の少なくともいずれか一方に、摩擦係数低減用のテープなどを貼り付けておけば、摩擦抵抗が小さくなり、保冷容器１の摺動操作力を小さく抑えることができる。テープは、ＯＰＰ(二軸延伸ポリプロピレン)テープから構成する他、各種の合成樹脂製のテープ等であってもよい。
【００４３】
また、下側の保冷容器１の上に上側の保冷容器１を摺動させながら積み重ねるときには、図５（ａ）（ｃ）に示すように、上蓋２０の一対の外側突出部２４，２４とこれに対応する容器本体１０の底部の外周縁の左右両側部分１７Ａ，１７Ａとが接触した状態になり、上側の保冷容器１の底面と下側の保冷容器１の上蓋２０の上面とが摺接する面積を減らすことができる。このことから、下側の保冷容器１に対して上側の保冷容器１を摺動させる人為操作力を小さく抑えることができ、上側の保冷容器１を容易に移動させることができる利点がある。また、外側突出部２４，２４と内側突出部２５，２５との間が途切れてガイド用凹部２７となっていることから、下側の保冷容器１に対して上側の保冷容器１を平行となる水平姿勢で移動させることができる。
【００４４】
＜第二実施形態＞
次に、図５（ａ）で示した容器本体１０の底面に備えた凸部１８を、図６（ａ），（ｂ）に示すような構成とした第二実施形態について説明する。尚、図６（ａ）の右側の容器本体１０は、底面図で示されており、左側の保冷容器１の上蓋２０に積み重ねる際には、上下を反対にした姿勢にする。
【００４５】
本第二実施形態の保冷容器１は、前記第一実施形態における連結凸部を設けず、つまり、一対の前後方向凸部１８Ａ，１８Ａが互いに連結されずに所定間隔を置いて平行になるように構成されている。また、上蓋２０の４つの外側辺２０Ｂ，２０Ｃ，２０Ｄ，２０Ｅからなる矩形状の外周凸部よりも径内部分が凹となるように凹条嵌合部２０Ａを形成し、その凹条嵌合部２０Ａに一対の前後方向凸部１８Ａ，１８Ａが嵌合（内嵌）することによって、積み重ね状態にある上下の保冷容器１が位置決めされる。また、前記上蓋２０の凹条嵌合部２０Ａ内の前後方向三箇所（前端部、中央部、後端部）に、上方に突出し幅方向に延びる内側突出部４１，４２，４３が形成されている。
【００４６】
本第二実施形態では、前記一方（図６（ａ）の容器本体１０の上側）の前後方向凸部１８Ａ（図６（ａ）の上側の前後方向凸部１８Ａ）と、これに対応する上蓋２０の幅方向一端側の外側辺２０Ｃ及び３つの内側突出部４１，４２，４３からなる幅方向凸部とから、第１案内手段２９が構成されている。また、前記他方の前後方向凸部１８Ａ（図６（ａ）の下側の前後方向凸部１８Ａ）と、これに対応する上蓋２０の幅方向他端側の外側辺２０Ｂ及び３つの内側突出部４１，４２，４３からなる幅方向凸部とから、第２案内手段３０が構成されている。
【００４７】
従って、積み上げ作業を行う際には、一対の前後方向凸部１８Ａ，１８Ａうちの一方の前後方向凸部（図６（ａ）の下側の前後方向凸部）１８Ａが上蓋２０の幅方向一端側の外側辺２０Ｂの内側面２０ｂとこれに対向位置する内側突出部４１，４２，４３の幅方向一端面４１ａ，４２ａ，４３ａとで形成されるガイド用凹部２７に入り込む。そして、他方の前後方向凸部（図６（ａ）の上側の前後方向凸部）１８Ａが上蓋２０の他方の外側辺２０Ｃの内側面２０ｃとこれに対向位置する内側突出部４１，４２，４３の幅方向一端面４１ｂ，４２ｂ，４３ｂとで形成されるガイド用凹部２７に入り込む。このような状態で上側の保冷容器１が移動案内される。
【００４８】
また、下側の保冷容器１の上に上側の保冷容器１を摺動させながら積み重ねるときに、上蓋２０の外周縁の幅方向外側辺２０Ｂ，２０Ｃとこれに対応する容器本体１０の底部の外周凹部１７の左右両側部分１７Ａ，１７Ａとが接触するとともに、幅方向一対の前後方向凸部１８Ａ，１８Ａの底面（下面）のみが、上蓋２０の外周縁の後端部分２０Ｅの上面に接触した状態になり、上側の保冷容器１の底面と下側の保冷容器１の上蓋２０の上面とが摺接する面積を減らすことができる。このことから、下側の保冷容器１に対して上側の保冷容器１を摺動させる人為操作力を小さく抑えることができ、上側の保冷容器１を容易に移動させることができる。
【００４９】
尚、本第二実施形態において、一対の前後方向凸部１８Ａ，１８Ａどうしを連結する前記連結凸部を設けることも可能である。この場合、外側辺２０Ｅが前記離間突出部となり、積み重ね状態では、前記連結凸部は、後側の内側突出部４１と外側辺２０Ｅとの間に嵌合する。
【００５０】
＜第三実施形態＞
次に、第三実施形態として、容器本体１０の底面に３本の前後方向凸部１８Ａを設けたものを、図７（ａ），（ｂ）を用いて説明する。尚、図７（ａ）の右側の容器本体１０は、底面図で示されており、左側の保冷容器１の上蓋２０に積み重ねる際には、上下を反対にした姿勢にする。本第三実施形態では、容器本体１０の底面に、容器本体１０の前後方向（長手方向）に延びる同一幅でかつ同一長さに構成された３つの前後方向凸部１８Ａ，１８Ａ，１８Ａが形成されている。また、上蓋２０の４つの外側辺２０Ｂ，２０Ｃ，２０Ｄ，２０Ｅからなる矩形状の外周凸部よりも径内部分が凹となるように凹条嵌合部２０Ａを形成し、その凹条嵌合部２０Ａに前後方向凸部１８Ａ，１８Ａ，１８Ａが嵌合（内嵌）することによって、積み重ねた上下の保冷容器が位置決めされる。また、前記上蓋２０の凹条嵌合部２０Ａ内には、幅方向に所定間隔を置いて対向させるとともに前後方向に３列並ぶように合計６個の内側突出部３４，３５，３６，３７，３８，３９が突出形成されている。
【００５１】
本第三実施形態では、幅方向一端側の前後方向凸部１８Ａ（図７（ａ）の上側の前後方向凸部１８Ａ）と、これに対応する上蓋２０の幅方向一端側の外側辺２０Ｃ及び３つの内側突出部３７，３８，３９からなる幅方向凸部とから、第１案内手段２９が構成されている。また、幅方向中央に位置する前後方向凸部１８Ａ（図７（ａ）の中段の前後方向凸部１８Ａ）と、６個の内側突出部３４，３５，３６，３７，３８，３９からなる幅方向凸部とから、第２案内手段３０が構成されている。また、幅方向他端側の前後方向凸部１８Ａ（図７（ａ）の下側の前後方向凸部１８Ａ）と、これに対応する上蓋２０の幅方向一端側の外側辺２０Ｂ及び３つの内側突出部３４，３５，３６からなる幅方向凸部とから、第３案内手段４０が構成されている。
【００５２】
従って、積み上げ作業を行う際には、３つの前後方向凸部１８Ａ，１８Ａ，１８Ａうちの幅方向一端側の前後方向凸部（図７（ａ）の上側の前後方向凸部）１８Ａが、上蓋２０の幅方向一端側の外側辺２０Ｃの内側面２０ｃとこれに対向位置する内側突出部３７，３８，３９の幅方向一端面３７ａ，３８ａ，３９ａとで形成されるガイド用凹部２７に入り込む。そして、幅方向中央に位置する前後方向凸部（図７（ａ）の中段の前後方向凸部）１８Ａが、６個の内側突出部３４，３５，３６，３７，３８，３９の互いに対向する端面３４ａ，３７ｂ，３５ａ，３８ｂ，３６ａ，３９ｂで形成されるガイド用凹部２７に入り込む。更には、幅方向他端側の前後方向凸部（図７（ａ）の下側の前後方向凸部）１８Ａが上蓋２０の他方の外側辺２０Ｂの内側面２０ｂとこれに対向位置する内側突出部３４，３５，３６の幅方向一端面３４ｂ，３５ｂ，３６ｂとの間に入り込む。このような状態で上側の保冷容器１が移動案内される。
【００５３】
また、下側の保冷容器１の上に上側の保冷容器１を摺動させながら積み重ねるときに、上蓋２０の外周縁の幅方向外側辺２０Ｂ，２０Ｃとこれに対応する容器本体１０の底部の外周凹部１７の左右両側部分１７Ａ，１７Ａとが接触するとともに、幅方向一対の前後方向凸部１８Ａ，１８Ａの底面（下面）のみが、上蓋２０の外周縁の後端部分２０Ｅの上面に接触した状態になり、上側の保冷容器１の底面と下側の保冷容器１の上蓋２０の上面とが摺接する面積を減らすことができる。このことから、下側の保冷容器１に対して上側の保冷容器１を摺動させる人為操作力を小さく抑えることができ、上側の保冷容器１を容易に移動させることができる。
【００５４】
尚、本第三実施形態において、３つの前後方向凸部１８Ａ，１８Ａ，１８Ａどうし、或いは、２つの前後方向凸部１８Ａ，１８Ａどうしを連結する前記連結凸部を設けることも可能である。この場合、外側辺２０Ｅが前記離間突出部となり、積み重ね状態では、前記連結凸部は、内側突出部３４，３７と外側辺２０Ｅとの間に嵌合する。
【００５５】
尚、本考案に係る保冷容器は、上記第一乃至第三実施形態に限定されるものではなく、本考案の要旨を逸脱しない範囲で種々の変更が可能である。
【００５６】
前記第一及び第二実施形態では、案内手段を幅方向に２つ設け、第三実施形態では、案内手段を幅方向に３つ設けたが、案内手段を幅方向に４つ以上設けて実施することもできる。
【００５７】
前記第一乃至第三実施形態では、容器本体１０の底面に前後方向凸部を突設し、上蓋２０の上面に幅方向凸部を突設したが、容器本体１０の底面に幅方向凸部を突設し、上蓋２０の上面に前後方向凸部を突設して実施することもできる。
【符号の説明】
【００５８】
１…保冷容器、１０…容器本体、１０Ａ…上面開口部、１１…底部、１１Ａ…載置面、１２，１３…側壁、１４…傾斜面部、１４ａ…中央部分、１４ｂ…前側部分、１４ｂ…後側部分、１４ｂ…前側部分、１４ｂ…後側部分、１５…嵌合用凸条、１６…嵌合用凸条、１７…外周凹部、１７Ａ…左右両側部分、１８…凸部、１８Ａ…前後方向凸部、１８Ｂ…連結部、１８ａ…先端湾曲面、１９…凹部、２０…上蓋、２０Ａ…凹条嵌合部、２１…上部、２２，２３…側壁、２４…外側突出部、２４ａ…内側面、２５…内側突出部、２６…離間突出部、２７…ガイド用凹部、２９，３０…案内手段、３１…保持部、３２…取手
【図１】
0003191069.tif 000003
【図２】
0003191069.tif 000004
【図３】
0003191069.tif 000005
【図４】
0003191069.tif 000006
【図５】
0003191069.tif 000007
【図６】
0003191069.tif 000008
【図７】
0003191069.tif 000009